【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
メッシュネットワーク内にある１つのメッシュノードまたは別のメッシュノードの輻輳状態を示すメッシュノードであって、
プロセッサは、
メッシュ内輻輳制御が適用されるべき前記他のメッシュノードにより宛先メッシュを特定する少なくとも１つのフィールド（２０４）を含む輻輳通知要素を生成するか、
または、
メッシュ内輻輳制御が適用されるべき前記メッシュノードにより宛先メッシュを特定する少なくとも１つのフィールド（２０４）を含む、前記他のメッシュノードにより生成される輻輳通知要素を処理する、
ことを特徴とするメッシュノード。
【請求項２】
前記宛先メッシュは、宛先メッシュノードのアドレスによって定められ、前記宛先メッシュノードとは、前記メッシュノードにとってそれぞれ前記他のメッシュノードである、請求項１記載のメッシュノード。
【請求項３】
前記宛先メッシュは、ブロードキャストアドレスによって定められる、請求項１記載のメッシュノード。
【請求項４】
前記輻輳通知要素は、それぞれが各前記宛先メッシュを特定する複数のフィールド（４０６、…、４１０）を特定するフィールド（４０４）を含む、請求項１から３のいずれか１項記載のメッシュノード。
【請求項５】
前記輻輳通知要素は少なくとも１つの輻輳通知（５０６、…、５１０）を含み、
各前記輻輳通知（５０６、…、５１０）は、前記宛先メッシュを特定する少なくとも１つのフィールド（５５０）の１つを含み、
各前記輻輳通知は、輻輳通知期限切れタイマを特定する少なくとも１つのフィールド（５５２、…、５５８）をさらに含み、
前記輻輳通知要素は、当該輻輳通知要素に含まれる複数の輻輳通知を特定するフィールド（５０４）をさらに含む、
請求項１から４のいずれか１項記載のメッシュノード。
【請求項６】
メッシュネットワーク内にある１つのメッシュノードまたは別のメッシュノードの輻輳状態を示すメッシュノードであって、
輻輳制御通知フレームが、請求項１から５のいずれか１項記載のメッシュノードの輻輳通知要素の少なくとも１つを含む、ことを特徴とするメッシュノード。
【請求項７】
前記輻輳制御通知フレームは既知の草稿ＩＥＥＥ  Ｐ８０２．１１ｓにしたがうフィールドを含む、請求項６記載のメッシュノード。
【請求項８】
メッシュネットワーク内の輻輳を制御する方法であって、
受信メッシュノードが少なくとも１つの輻輳制御通知フレームを受信するステップと、なお、前記少なくとも１つの輻輳制御通知フレームは、送信メッシュノードにより送信され、かつ、前記少なくとも１つの輻輳制御通知フレームは少なくとも１つの輻輳通知要素を含み、
次転送先アドレスとして前記少なくとも１つの輻輳制御通知フレームの少なくとも１つの送信元メッシュノードアドレスを読み取るステップと、
前記少なくとも１つの輻輳通知要素の少なくとも１つの宛先メッシュノードアドレスを読み取るステップと、なお、前記宛先メッシュノードアドレスは個別アドレスまたはブロードキャストアドレスであり、
前記少なくとも１つの輻輳通知要素の少なくとも１つの輻輳通知期限切れタイマを読み取るステップと、
を含む、ことを特徴とする方法。
【請求項９】
前記受信メッシュノードがデータフレームを受信するステップと、なお、前記データフレームは、当該データフレームの宛先アドレスを含み、
前記データフレームの前記宛先アドレスを読み取るステップと、
転送情報から、前記データフレームの前記宛先アドレスに関する次転送先アドレスを読み取るステップと、
を含む、請求項８記載の方法。
【請求項１０】
前記データフレームについての前記次転送先アドレスが前記少なくとも１つの輻輳制御通知フレームからの少なくとも１つの次転送先アドレスに等しく、かつ、前記データフレームの前記宛先アドレスが、前記少なくとも１つの輻輳通知要素の前記少なくとも１つの次転送先アドレスからの少なくとも１つの宛先メッシュノードに等しい場合、前記受信ノードが前記データフレームの転送を延期するステップを含む、請求項９記載の方法。
【請求項１１】
前記データフレームについての前記次転送先アドレスが前記少なくとも１つの輻輳制御通知フレームからの少なくとも１つの次転送先アドレスに等しく、かつ、前記少なくとも１つの輻輳通知要素の前記少なくとも１つの次転送先アドレスからの少なくとも１つの宛先メッシュノードアドレスが前記ブロードキャストアドレスに等しい場合、前記受信ノードが、前記データフレームの転送を延期するステップを含む、請求項９記載の方法。
【請求項１２】
前記データフレームの転送を延期するステップは、対応するアクセスカテゴリの対応する輻輳通知期限切れタイマが期限切れとなるまで行われる、請求項１０または１１記載の方法。
【請求項１３】
メッシュネットワーク内のメッシュノードの輻輳状態を示す方法であって、
輻輳通知要素が、メッシュ内輻輳制御が適用されるべき宛先メッシュを特定する少なくとも１つのフィールド（２０４）を含む、ことを特徴とする方法。
【請求項１４】
前記宛先メッシュは、宛先メッシュノードのアドレスによって定められる、請求項１３記載の方法。
【請求項１５】
前記宛先メッシュは、ブロードキャストアドレスによって定められる、請求項１３記載の方法。
【請求項１６】
前記輻輳通知要素は、それぞれが各前記宛先メッシュを特定する複数のフィールド（４０６、…、４１０）を特定するフィールド（４０４）を含む、請求項１３から１５のいずれか１項記載の方法。
【請求項１７】
前記輻輳通知要素は少なくとも１つの輻輳通知（５０６、…、５１０）を含み、
各前記輻輳通知（５０６、…、５１０）は、前記宛先メッシュを特定する少なくとも１つのフィールド（５５０）の１つを含み、
各前記輻輳通知は、輻輳通知期限切れタイマを特定する少なくとも１つのフィールド（５５２、…、５５８）をさらに含み、
前記輻輳通知要素は、当該輻輳通知要素に含まれる複数の輻輳通知を特定するフィールド（５０４）をさらに含む、
請求項１３から１６のいずれか１項記載の方法。
【請求項１８】
メッシュネットワーク内のメッシュノードの輻輳状態を示す方法であって、
輻輳制御通知フレームが、請求項１３から１７のいずれか１項記載の少なくとも１つの輻輳通知要素を含む、ことを特徴とする方法。
【請求項１９】
前記輻輳制御通知フレームは既知の草稿ＩＥＥＥ  Ｐ８０２．１１ｓにしたがうフィールドを含む、請求項１８記載の方法。
【請求項２０】
メッシュネットワーク内の輻輳を制御するためのメッシュノードであって、
受信メッシュノードが少なくとも１つの輻輳制御通知フレームを受信する手段と、なお、前記少なくとも１つの輻輳制御通知フレームは、送信メッシュノードにより送信され、かつ、前記少なくとも１つの輻輳制御通知フレームは少なくとも１つの輻輳通知要素を含み、
次転送先アドレスとして前記少なくとも１つの輻輳制御通知フレームの少なくとも１つの送信元メッシュノードアドレスを読み取る手段と、
前記少なくとも１つの輻輳通知要素の少なくとも１つの宛先メッシュノードアドレスを読み取る手段と、なお、前記宛先メッシュノードアドレスは個別アドレスまたはブロードキャストアドレスであり、
前記少なくとも１つの輻輳通知要素の少なくとも１つの輻輳通知期限切れタイマを読み取る手段と、
を含む、ことを特徴とするメッシュノード。
【請求項２１】
前記受信メッシュノードがデータフレームを受信する手段と、なお、前記データフレームは、当該データフレームの宛先アドレスを含み、
前記データフレームの前記宛先アドレスを読み取る手段と、
転送情報から、前記データフレームの前記宛先アドレスに関する次転送先アドレスを読み取る手段と、
を含む、請求項２０記載のメッシュノード。
【請求項２２】
前記データフレームについての前記次転送先アドレスが前記少なくとも１つの輻輳制御通知フレームからの少なくとも１つの次転送先アドレスに等しく、かつ、前記データフレームの前記宛先アドレスが、前記少なくとも１つの輻輳通知要素の前記少なくとも１つの次転送先アドレスからの少なくとも１つの宛先メッシュノードに等しい場合、前記受信ノードが前記データフレームの転送を延期する手段を含む、請求項２１記載のメッシュノード。
【請求項２３】
前記データフレームについての前記次転送先アドレスが前記少なくとも１つの輻輳制御通知フレームからの少なくとも１つの次転送先アドレスに等しく、かつ、前記少なくとも１つの輻輳通知要素の前記少なくとも１つの次転送先アドレスからの少なくとも１つの宛先メッシュノードアドレスが前記ブロードキャストアドレスに等しい場合、前記受信ノードが、前記データフレームの転送を延期する手段を含む、請求項２１記載のメッシュノード。
【請求項２４】
前記データフレームの転送を延期する手段は、対応するアクセスカテゴリの対応する輻輳通知期限切れタイマが期限切れとなるまで行われる、請求項２２または２３記載のメッシュノード。
【請求項２５】
請求項２０から２４のいずれか１項に記載の少なくとも１つのメッシュノードを有する、ことを特徴とするメッシュネットワーク。
【請求項２６】
請求項１から７のいずれか１項記載の少なくとも１つのメッシュノードを含む、ことを特徴とするメッシュネットワーク。
【請求項２７】
メッシュネットワーク内の輻輳を制御するためのコンピュータプログラムであって、
前記プログラムは、メッシュネットワーク内のメッシュノードのプロセッサに下記ステップ、すなわち、
受信メッシュノードが少なくとも１つの輻輳制御通知フレームを受信するステップと、なお、前記少なくとも１つの輻輳制御通知フレームは、送信メッシュノードにより送信され、かつ、前記少なくとも１つの輻輳制御通知フレームは少なくとも１つの輻輳通知要素を含み、
次転送先アドレスとして前記少なくとも１つの輻輳制御通知フレームの少なくとも１つの送信元メッシュノードアドレスを読み取るステップと、
前記少なくとも１つの輻輳通知要素の少なくとも１つの宛先メッシュノードアドレスを読み取るステップと、なお、前記宛先メッシュノードアドレスは個別アドレスまたはブロードキャストアドレスであり、
前記少なくとも１つの輻輳通知要素の少なくとも１つの輻輳通知期限切れタイマを読み取るステップと、
を実行させる、ことを特徴とするコンピュータプログラム。
【請求項２８】
前記プログラムは、前記プロセッサに下記ステップ、すなわち、
前記受信メッシュノードがデータフレームを受信するステップと、なお、前記データフレームは、当該データフレームの宛先アドレスを含み、
前記データフレームの前記宛先アドレスを読み取るステップと、
転送情報から、前記データフレームの前記宛先アドレスに関する次転送先アドレスを読み取るステップと、
をさらに実行させる、請求項２７記載のコンピュータプログラム。
【請求項２９】
前記プログラムは、前記プロセッサに下記ステップ、すなわち、
前記データフレームについての前記次転送先アドレスが前記少なくとも１つの輻輳制御通知フレームからの少なくとも１つの次転送先アドレスに等しく、かつ、前記データフレームの前記宛先アドレスが、前記少なくとも１つの輻輳通知要素の前記少なくとも１つの次転送先アドレスからの少なくとも１つの宛先メッシュノードに等しい場合、前記受信ノードが前記データフレームの転送を延期するステップを実行させる、請求項２８記載のコンピュータプログラム。
【請求項３０】
前記プログラムは、前記プロセッサに下記ステップ、すなわち、
前記データフレームについての前記次転送先アドレスが前記少なくとも１つの輻輳制御通知フレームからの少なくとも１つの次転送先アドレスに等しく、かつ、前記少なくとも１つの輻輳通知要素の前記少なくとも１つの次転送先アドレスからの少なくとも１つの宛先メッシュノードアドレスが前記ブロードキャストアドレスに等しい場合、前記受信ノードが、前記データフレームの転送を延期するステップを実行させる、請求項２８記載のコンピュータプログラム。
【請求項３１】
前記データフレームの転送を延期するステップは、対応するアクセスカテゴリの対応する輻輳通知期限切れタイマが期限切れとなるまで行われる、請求項２９または３０記載のコンピュータプログラム。
【請求項３２】
ネットワーク内のメッシュノードの輻輳状態を示すコンピュータプログラムであって、
前記プログラムは、前記メッシュネットワーク内の前記メッシュノードのプロセッサを動作させるものであり、
輻輳通知要素が、メッシュ内輻輳制御が適用されるべき宛先メッシュを特定する少なくとも１つのフィールド（２０４）を含む、ことを特徴とするコンピュータプログラム。
【請求項３３】
前記宛先メッシュは、宛先メッシュノードのアドレスによって定められる、請求項３２記載のコンピュータプログラム。
【請求項３４】
前記宛先メッシュは、ブロードキャストアドレスによって定められる、請求項３２記載のコンピュータプログラム。
【請求項３５】
前記輻輳通知要素は、それぞれが各前記宛先メッシュを特定する複数のフィールド（４０６、…、４１０）を特定するフィールド（４０４）を含む、請求項３２から３４のいずれか１項記載のコンピュータプログラム。
【請求項３６】
前記輻輳通知要素は少なくとも１つの輻輳通知（５０６、…、５１０）を含み、
各前記輻輳通知（５０６、…、５１０）は、前記宛先メッシュを特定する少なくとも１つのフィールド（５５０）の１つを含み、
各前記輻輳通知は、輻輳通知期限切れタイマを特定する少なくとも１つのフィールド（５５２、…、５５８）をさらに含み、
前記輻輳通知要素は、当該輻輳通知要素に含まれる複数の輻輳通知を特定するフィールド（５０４）をさらに含む、
請求項３２から３５のいずれか１項記載のコンピュータプログラム。
【請求項３７】
ネットワーク内のメッシュノードの輻輳状態を示すコンピュータプログラムであって、
前記プログラムは、前記メッシュネットワーク内の前記メッシュノードのプロセッサを動作させるものであり、
輻輳制御通知フレームが、請求項３２から３６のいずれか１項記載の少なくとも１つの輻輳通知要素を含む、ことを特徴とするコンピュータプログラム。
【請求項３８】
前記輻輳制御通知フレームは既知の草稿ＩＥＥＥ  Ｐ８０２．１１ｓにしたがうフィールドを含む、請求項３７記載のコンピュータプログラム。